(57)【要約】【課題】標示された文字を捜し出すことの困難、および携帯電話または遠隔制御器に文字またはテキストを入力するときの遅い複雑な操作手順という欠点を克服すること。【解決手段】その上側セクションのメニューが、水平方向数字行によって各文字オプションに対するｘ座標を標示し、前記ｘ座標を選択するために前記水平方向数字行が数字キーによって制御され、前記水平方向文字オプション行に対応する初期ｙ座標値が、前記文字オプション行のｙ座標用に設定され、他の文字オプション行を表示すること以外の方法によって表示され、方向キーが、ｙ座標を選択および制御するために使用され、１つの文字オプション行が一度に選択され、文字の入力を完了するように座標を選択するために前記所望の文字オプションが前記メニュー上で示されること。【選択図】図１
2006217583.tif 000002
【特許請求の範囲】
【請求項１】
その上側セクションのメニューが、水平方向数字行によって各文字オプションに対するｘ座標を標示し、前記ｘ座標を選択するために前記水平方向数字行が数字キーによって制御され、前記水平方向文字オプション行に対応する初期ｙ座標値が、前記文字オプション行のｙ座標用に設定され、他の文字オプション行を表示すること以外の方法によって表示され、方向キーが、ｙ座標を選択および制御するために使用され、１つの文字オプション行が一度に選択され、文字の入力を完了するように座標を選択するために前記所望の文字オプションが前記メニュー上で示されることを特徴とする、スクリーン上に表示されるための少なくとも２つの行内の列を有するメニューを定義するために、複数の文字および／またはファンクション・キーを複数の文字オプションに統合する普遍的なｘ、ｙ軸位置決め入力方法。
【請求項２】
前記文字が、いずれかの言語のテキスト、アルファベットおよび記号またはそれらの組合せを含む要素から選択されることを特徴とする請求項１に記載の普遍的なｘ、ｙ軸位置決め入力方法。
【請求項３】
前記ファンクション・キーが、操作機能を制御するためのキーであることを特徴とする請求項１に記載の普遍的なｘ、ｙ軸位置決め入力方法。
【請求項４】
前記文字オプションが、１つの文字、１つのファンクション・キーまたは複数の文字の組合せであることを特徴とする請求項１に記載の普遍的なｘ、ｙ軸位置決め入力方法。
【請求項５】
前記メニューが１ページに表示されるのに大き過ぎる場合、前記メニューが複数のページに分割され、前記方向キーまたはファンクション・キーが各ページを選択し、一度に１ページを表示するために使用されることを特徴とする請求項１に記載の普遍的なｘ、ｙ軸位置決め入力方法。
【請求項６】
前記数字キーが、０から９の少なくとも１０個の数字を含むキーであることを特徴とする請求項１に記載の普遍的なｘ、ｙ軸位置決め入力方法。
【請求項７】
前記方向キーが、方向キー、ジョイスティック、ローラー、ダイアルまたはポインタなどを含む方向制御デバイスであることを特徴とする請求項１に記載の普遍的なｘ、ｙ軸位置決め入力方法。
【請求項８】
前記ｘ、ｙ座標を設定する前記方法が交換可能であることを特徴とする請求項１に記載の普遍的なｘ、ｙ軸位置決め入力方法。
【請求項９】
前記方法が、電子製品に適用されることができることを特徴とする請求項１に記載の普遍的なｘ、ｙ軸位置決め入力方法。
【発明の詳細な説明】
【技術分野】
【０００１】
本発明は一般に、いずれかの言語のテキスト、アルファベット、記号および／またはファンクション・キーに適用可能な入力方法および入力装置に関し、より詳細には、数字キー、方向キーおよび表示スクリーンを有する携帯電話または遠隔制御器などの電子デバイス内で適用される入力方法および入力装置に関する。
【背景技術】
【０００２】
現在、一般的な携帯電話または遠隔制御器への文字またはテキストの入力は、文字またはテキストを携帯電話上の複数のプレス・キーに対応する複数のグループに分割する。文字の数がプレス・キーの数よりもずっと多いため、各プレス・キーが複数の文字に対応し、キーボードの極めて制限された空間上に配置された各キーにはいくつかの小さい文字が彫られている。このような構成は、極めて小さいサイズの文字、および小さい文字を認識する困難を与えるだけでなく、特に悪い視力を有する使用者が、彼らの所望の文字を見つけることを困難にもする。さらに、１つのプレス・キーがいくつかの文字に対応するため、入力の精度を改善するためにより多くのステップまたはメモリを追加するなどの追加の手順を必要とする。いくつかの製造業者は、使用者が彼らの所望の文字を選択するために特定のキーを押圧すること、または所望の文字を選択するためにカーソルを移動させるために方向キーを使用することができるように、スクリーン上に表示された仮想キーボードを使用している。このような仮想キーボードは、文字とその対応するキーの間の関係を記憶する、すなわちキーのその対応する文字との対応性を記憶する必要がある。プレス・キーが指定された対応性を有するため、その使用の柔軟性および範囲が制限され、速度を増加させることまたはより多くの機能を追加することが不可能になる。さらに、所望の文字を選択するために方向キーを数回押圧することが必要であり、このような複雑な操作手順は速度を低下させる。
【発明の開示】
【発明が解決しようとする課題】
【０００３】
本発明の目的は、標示された文字を捜し出すことの困難、および携帯電話または遠隔制御器に文字またはテキストを入力するときの遅い複雑な操作手順という欠点を克服することであり、そのために、本発明は、いずれかの言語のテキスト、アルファベット、記号および／またはファンクション・キーに適用可能な入力方法を提供し、本方法は、操作手順を、キーボード上で標示された文字を捜し出すことから回避させ、メモリを節約し、キーを押圧する回数を減少させ、したがって、簡単で、簡便かつ迅速な入力動作を達成することができる。
【課題を解決するための手段】
【０００４】
前記の目的を達成するために、本発明は、その上側セクションのメニューが、水平方向数字行によって各文字オプションに対するｘ座標を標示し、前記ｘ座標を選択するために前記水平方向数字行が数字キーによって制御され、前記水平方向文字オプション行に対応する初期ｙ座標値が、前記文字オプション行のｙ座標用に設定され、他の文字オプション行を表示すること以外の方法によって表示され、方向キーが、ｙ座標を選択および制御するために使用され、１つの文字オプション行が一度に選択され、文字の入力を完了するように座標を選択するために前記所望の文字オプションが前記メニュー上で示されることを特徴とする、スクリーン上に表示されるための少なくとも２つの行内の列を有するメニューを定義するために、文字および／またはファンクション・キーを複数の文字オプションに統合する普遍的なｘ、ｙ座標位置決め入力方法を提供する。
【０００５】
前記普遍的なｘ、ｙ座標位置決め入力方法は、いずれかの言語のテキスト、アルファベットおよび／または記号などの要素を表示することができることを特徴とする。
【０００６】
普遍的なｘ、ｙ座標位置決め入力方法は、前記ファンクション・キーが、操作機能を制御するためのキーであることを特徴とする。
【０００７】
普遍的なｘ、ｙ座標位置決め入力方法は、前記文字オプションが、１つの文字、１つのファンクション・キーまたは複数の文字の組合せであることを特徴とする。
【０００８】
普遍的なｘ、ｙ座標位置決め入力方法は、前記メニューが一度に表示されるのに大き過ぎる場合、前記メニューが複数のページに分割され、前記方向キーまたはファンクション・キーが各ページを選択するのに使用され、一度に１ページを表示することを特徴とする。
【０００９】
普遍的なｘ、ｙ座標位置決め入力方法は、前記数字キーが、０から９の少なくとも１０個のキーを有するプレス・キーであることを特徴とする。
【００１０】
普遍的なｘ、ｙ座標位置決め入力方法は、前記方向キーが、方向キー、ジョイスティック、および／またはローラー、ダイアル、ポインタなどの方向制御デバイスを含むことを特徴とする。
【００１１】
普遍的なｘ、ｙ座標位置決め入力方法は、ｘ、ｙ軸の値を設定する方法が交換可能であることを特徴とする。
【００１２】
普遍的なｘ、ｙ座標位置決め入力方法は、前記方法が、電子製品に適用されることができることを特徴とする。
【００１３】
より具体的には、技術的な問題を解決するために本発明によって採用される技術的解決法は、スクリーン上に表示されるための少なくとも２つの行内の列を有するメニューを定義するために、入力された複数の文字および／またはファンクション・キーを複数の文字オプションに統合することを含む。文字オプションは、スクリーン上の局所的な表示メニューに割り当てられる、単一の文字または単一のファンクション・キーまたはいくつかの文字の組合せであってよい。全メニューが一度に表示されることができない場合、メニューがいくつかのページに分割され、メニューの各ページが一度に表示される。本発明は、選択されたページを示す記号を使用することによって選択のためのいくつかの他のページも含んでいることを示し、方向キーまたはファンクション・キーと協働してページ選択手順を完了させる。メニューに表示される文字オプションは、ｘ、ｙ軸行列の形で構成される。水平方向に配置された行は、行と呼ばれ、鉛直方向に配置された列は、列と呼ばれ、文字オプションのｘ座標の値がメニューの上側セクションに列挙され、数字キーによってｘ座標の値が制御および選択される。文字オプションの行のｙ軸に対して少なくとも２つの値がある。ｙ軸の初期値は事前に設定され、対応する水平方向の文字オプション行が、文字オプション行に対応する選択されたｙ座標を表すための反転属性またはその他の異なる色を使用することなど、他の文字オプション行を表示するための方法以外の方法によって表示される。方向キーが、ｙ座標を選択するために使用される。ある文字オプションが、メニューのページから選択され、行を選択できるようにｙ座標の迅速な位置決めを完了するために、次にまず対応する方向キーが、ｙ座標の初期値を所望の文字オプションを含む文字オプション行のｙ座標に移動させるために使用される。所望の文字オプションのｘ座標の値に対応する数字キーが、所望の文字オプションの内容を入力するように、ｘ座標の値の迅速な位置決めを完了させるために押圧される。所望の文字オプションがスクリーン上のメニュー内に示されていない場合、対応する方向キーまたはファンクション・キーが、所望の文字オプションを含むメニューのページが現れるまで、メニューの次のページを示すために選択されたページを示す記号に従って押圧され、選択される。同様に、座標の設定方法を交換するために、表示または操作が、文字オプションの形状に応じて実行される。言い換えれば、ｙ座標の値は数字によって表され、ｘ座標の値は、他の文字オプション列以外の方法によって表示される。
【００１４】
したがって、いずれかの言語に対するテキスト、アルファベット、記号および／またはファンクション・キーについての本発明の利点によると、所望の文字オプションがスクリーン上に示される。したがって、本発明は、キーボード上で密集する小さい文字を捜し出す困難を克服することができる。方向キーを使用する簡単な方法では、文字オプションの行または列が、一度に選択されることができる。別の座標の値を選択するための数字キーによって、所望の文字オプションが迅速に位置決めされることができ、したがって、キーストロークの数が減少する。使用者は、文字とプレス・キーの間の対応を記憶することまたは各プレス・キーによって表される文字を記憶することなく、スクリーンの座標、ファンクション・キーの標示および選択されたページからキーを感知することができる。本発明は使用者に簡単な操作を提供する。本発明のために採用された所望の文字オプションの２つ以上の文字が一度に入力されるため、操作手順を単純化し、簡単、簡便かつ迅速な入力動作を達成することができる。
【発明を実施するための最良の形態】
【００１５】
本発明のその他の特徴および利点は、添付の図面を参照にした好ましい実施形態の以下の詳細な説明で明らかになるであろう。
【００１６】
本発明は、いずれかの言語およびプログラミング言語に対して使用されることができる。以下の実施形態は、説明のために英語および中国語を採用しているが、本発明の範囲は、これらの言語のみに限定されない。いかなる修正または類似の構成および手順も、添付の特許請求の範囲内に含まれ、このような修正および類似の構成および手順のすべてを包含するように、最も広い解釈が認められる。
【００１７】
本発明の第１の好ましい実施形態に対する図１を参照すると、大文字の英語アルファベットが、本発明の技術によるスクリーン上に表示されている。ｘ座標は数１、２、…０（２）の行を標示し、ｙ座標はハイライトされた中間の行（３）を指している。「Ａｂｃ」を入力することが必要な場合、操作手順は、以下のようである。
１．図１で、「Ａ」を選択し入力するために数字キー「２」が押圧される。
２．図１で、スクリーン上に小文字のアルファベットを表示するために「ＣＬ」キャプス・ロック・ファンクション・キー（４）を選択するために数字キー「１」が押圧される。
３．図３に示すような次の行のｙ座標を選択するために「下」方向キーが押圧される。
４．「ｂ」を選択し、入力するために図３に示すように数字キー「６」が押圧される。ｙ座標が、中間の行にある初期値に自動的に戻る。
５．図３に示すようにｙ座標を次の行に移動するために「下」方向キーが押圧される。
６．「ｃ」を選択し、入力するために図３に示すように数字キー「４」が押圧される。このようにして「Ａｂｃ」の入力が完了し、ｙ座標が、中間の行にある初期値に自動的に戻る。
【００１８】
したがって、英語を入力するためにキーボード上で小さい文字を捜し出すこと、または文字とキーの間の対応する関係を記憶することは必要ない。使用者は、大文字および小文字の両方のアルファベットを入力することを完了するために全部で６回一般的な数字キーおよび方向キーを操作する必要があるだけである。
【００１９】
本発明の第２の実施形態に対する図４を参照すると、中国語の発音記号がスクリーン上に表示されるメニューに一体化されている。ｘ座標の最上部に１、２、…９を含む水平方向の数字列の数が標示され（２）、ｙ座標の初期値は、ハイライトされた行（３）で示されており、文字オプションは、１文字、２文字（１０）および３文字を含む。メニューが２つのページを有するため、選択されたページを示す記号（９）が、図４に示すように次のページを選択することを示す、または選択されたページを示す記号が、図５に示すように前のページを選択することを示す。「ｆｅｎｇ」を入力することが必要である場合、操作手順は以下のようである。
１．「ｆ」を選択し、入力するために数字キー「８」が図４に示すように押圧される。スクリーンは、図６に示すように発音記号「ｆ」およびその後の考えられる任意の文字オプションを示す。ｙ座標の一番左の行にｙ座標１、２、３の数が標示され（１３）、ｘ座標の初期値が、中央のハイライトされた列（１２）に示される。
２．図６では、「ｅｎｇ」を選択し、入力して、中国語発音記号「ｆｅｎｇ」の入力を完了させるために数字キー「３」が押圧され、使用者は、同じ発音記号を有する中国語文字のすべてを見つけることができる。
【００２０】
したがって、使用者は、「ｆｅｎｇ」を入力するのに数字キーを２回押圧するだけでよく、また、同じ発音記号を用いる選択用の中国語文字のすべてを見つけることもできる。このような構成は簡単、簡便かつ迅速であり、使用者が小さい文字をキーボード上で捜し出すこと、または発音記号と文字の間の対応する関係を記憶すること、または位置決めのために何回も方向キーを押圧することを必要としない。
【００２１】
本発明の第３の好ましい実施形態に対する図７を参照すると、Ｃｈａｎｇｊｅｉ入力方法の漢字の元が、スクリーン上に表示されるメニューに一体化されている。ｘ座標の最上部の１、２、…９、０を含む水平方向の数字列の数が標示され（２）、ｙ座標の初期値は、中央のハイライトされた行（３）で示されている。漢字「東」を形成するために「木田」を入力する必要がある場合、操作手順は以下のようである。
１．図７で、「木」を選択し、入力するために数字キー「３」が押圧される。
２．図７で、図８に示すようにｙ座標を１つ上の行に移動するために「上」方向キーが押圧される。
３．図８で、「田」を選択し、入力するために数字キー「２」が押圧される。ｙ座標の値が、図７に示すような中間の行に自動的に戻る。
４．図７で、漢字「東」を入力することを完了するために「スペース」を選択し、入力するために、数字キー「０」が押圧される。
【００２２】
このようにして、使用者は、Ｃｈａｎｇｊｅｉ入力方法によって中国語の言葉「東」を入力するために４回キーを押圧する必要があるだけである。このような構成は、簡単、簡便かつ迅速であり、使用者は、キーボード上の小さい文字を見つける、または漢字幹と文字の間の対応関係を思い出す、または位置決めのために何回も方向キーを押圧する必要はない。
【図面の簡単な説明】
【００２３】
【図１】本発明によるスクリーン上の大文字アルファベットを表示するメニューの概略図である。
【図２】本発明による数字キーおよび方向キーの概略図である。
【図３】本発明に従って、小文字のアルファベットのメニューを表示するためにＣＬ（キャプス・ロック）ファンクション・キーを選択するために数字キー「１」を押圧し、次に次の行へｙ座標の値を動かすために「下」方向キーを押圧することの概略図である。
【図４】本発明による中国語発音記号を選択するためのメニューの第１ページを表示するスクリーンの概略図である。
【図５】本発明による中国語発音記号を選択するためのメニューの第２ページを表示するスクリーンの概略図である
【図６】図４に示すように発音「ｆ」が選択された後の座標の値を選択する交換可能な方法を表示する中国語発音記号メニューの概略図である。
【図７】スクリーン上に表示されたＣｈａｎｇｊｅｉ入力方法によって漢字の元を選択するためのメニューの概略図である。
【図８】図７に示すような「上」方向キーによって選択されたｙ座標の値のためのメニューの概略図である。
【符号の説明】
【００２４】
１  文字オプション
２  文字オプションのｘ座標の値に対する水平方向の数字の行
３  水平方向の文字オプション行に対応するｙ座標の初期値
４  キャプス・ロック・ファンクション・キー
５  シフト・ファンクション・キー
６  スペース・キー
７  数字キー
８  方向キー
９  次のページを選択するための選択されたページを示す記号
１０  ２つの文字を有する文字オプション
１１  前のページを選択するための選択されたページを示す記号
１２  鉛直方向の文字オプション列に対応するｘ座標の初期値
１３  水平方向の文字オプション行を示す鉛直方向の数字列のｙ座標の値
【図１】
2006217583.tif 000003
【図２】
2006217583.tif 000004
【図３】
2006217583.tif 000005
【図４】
2006217583.tif 000006
【図５】
2006217583.tif 000007
【図６】
2006217583.tif 000008
【図７】
2006217583.tif 000009
【図８】
2006217583.tif 000010